(57)【要約】機械的振動を発生するとともに、第一輪郭（４）を有するソノトロード（３）と、封止・切断領域（５）を規定するためにソノトロード（３）の第一輪郭（４）と協働して作用する第二輪郭（１２）を有する接触体（６）とを備え、容器（２）を密封するためにシート状またはストリップ状の材料（１）を封止して切断する超音波の装置を開示する。ソノトロード（３）の第一輪郭（４）または接触体（６）の第二輪郭（１２）は、共有の切断刃（９）において一体に連結された第一フェース（７）および第二フェース（８）を有する。第一フェース（７）は、封止・切断領域（５）内を通過するシート状またはストリップ状の材料（１）の部分に一致する平面（１０）に対して第一角度（α）で傾斜している。第二フェース（８）は、上記部分に一致する平面（１０）に対して第二角度（β）で傾斜している。第一フェース（７）の第一角度（α）の値は、第二フェース（８）の第二角度（β）の値とは異なる。【選択図】図３
2017509549.tif 000002
【特許請求の範囲】
【請求項１】
注入または抽出製品のための容器（２）を密封するためにシート状またはストリップ状の材料（１）を封止して切断する超音波の装置であって、
機械的振動を発生するとともに、第一輪郭（４）を有するソノトロード（３）と、
封止・切断領域（５）を規定するために前記ソノトロード（３）の前記第一輪郭（４）と協働して作用する第二輪郭（１２）を有する接触体（６）と、
を備え、
前記ソノトロード（３）の前記第一輪郭（４）と前記接触体（６）の前記第二輪郭（１２）のいずれか一方が、共有の切断刃（９）を形成するように一体に連結された第一フェース（７）および第二フェース（８）を有しており、
前記第一フェース（７）は、前記封止・切断領域（５）内を通過するシート状またはストリップ状の材料（１）の部分に一致する平面（１０）に対して第一角度（α）で傾斜しており、
前記第二フェース（８）は、前記部分に一致する前記平面（１０）に対して第二角度（β）で傾斜しており、
前記第一フェース（７）の前記第一角度（α）の値は、前記第二フェース（８）の前記第二角度（β）の値とは異なり、
少なくとも前記接触体（６）は、型（１１）を有しており、前記型（１１）の縁部に、閉じられ、かつ、前記接触体（６）から突出している周辺部を有し、
前記第二輪郭（１２）は、前記ソノトロード（３）の前記第一輪郭（４）と協働して、前記閉じられた封止・切断領域を規定するように構成されている、装置。
【請求項２】
前記切断刃（９）の前記第一フェース（７）は、前記部分に一致する前記平面（１０）に対する傾斜の第一角度（α）の値が、４５°〜８０°、好ましくは６０°〜８０°、さらに好ましくは７５°〜８０°である、請求項１に記載の装置。
【請求項３】
前記切断刃（９）の前記第二フェース（８）は、前記部分に一致する前記平面（１０）に対する傾斜の第二角度（β）の値が、０°〜４５°、好ましくは０°〜３０°、さらに好ましくは１５°〜３０°である、請求項１または請求項２に記載の装置。
【請求項４】
前記第二フェース（８）は、前記部分に一致する前記平面（１０）に対して垂直な第一部分と、前記部分に一致する前記平面（１０）と平行であり封止面を形成する第二部分とを有する、請求項１または請求項２に記載の装置。
【請求項５】
前記第一輪郭（４）および前記第二輪郭（１２）は、周辺部が閉じている前記封止・切断領域（５）を形成しており、前記第一フェース（７）は前記封止・切断領域（５）において切断面を形成しており、前記第二フェース（８）は前記封止・切断領域（５）において封止面を形成している、請求項１から請求項４のいずれか１項に記載の装置。
【請求項６】
前記第一フェース（７）および前記第二フェース（８）は、周辺部が閉じている切断刃（９）を形成している、請求項１から請求項５のいずれか１項に記載の装置。
【請求項７】
前記接触体（６）は、前記第二輪郭（１２）によって規定される前記少なくとも一つの型（１１）と、前記第二輪郭（１２）に形成されるべき前記切断刃（９）を形成するべく一体に連結された前記第一フェース（７）および前記第二フェース（８）とを有する、請求項１から請求項６のいずれか１項に記載の装置。
【請求項８】
前記少なくとも一つの型（１１）は、曲面状延設部を有する前記第二輪郭（１２）を有する、請求項７に記載の装置。
【請求項９】
前記接触体（６）は、前記型（１１）の前記突出している縁部に形成される前記第二輪郭（１２）によって規定される前記少なくとも一つの型（１１）を有しており、前記縁部は曲面状延設部を有している、請求項１から請求項８のいずれか１項に記載の装置。
【請求項１０】
前記接触体（６）は、回転軸（Ｘ）回りに回転する円筒部（１４）を備えており、前記円筒部（１４）は、それぞれが曲面状延設部を有する前記第二輪郭（１２）で構成される複数の型（１１）を有している、請求項１から請求項９のいずれか１項に記載の装置。
【請求項１１】
前記接触体（６）は、型として構成されるとともに、前記ソノトロード（３）の前記第一輪郭（４）と整合するよう形成される接触ヘッド（１６）を有するダイ（１５）を備えており、前記ダイ（１５）は、前記ソノトロード（３）に近接する動作位置と、前記ソノトロード（３）から離間した非動作位置と、間で軸方向に移動可能である、請求項１から請求項８のいずれか１項に記載の装置。
【請求項１２】
前記接触体（６）は、前記切断刃（９）と協働して作用する、前記部分に一致する前記平面（１０）と平行である平坦延設部を有する前記第二輪郭（１２）が構成される接触ヘッド（１６）を有するダイ（１５）を備える、請求項１から請求項８のいずれか１項に記載の装置。
【発明の詳細な説明】
【技術分野】
【０００１】
本発明は、超音波封止・切断装置に関し、特に、例えば、固形注入もしくは抽出製品のための容器（フィルターバッグ、カプセルおよび同様な容器）、または液体もしくはゲル製品のための容器を密封するためのシート状またはストリップ状の材料を封止して切断する超音波封止・切断装置に関する。
【背景技術】
【０００２】
封止・切断装置の技術分野においては、例えば、熱可塑性フィルムのストリップによる容器の縁部の封止、および材料の一連のストリップからのそれらの対応する分離などの、互いに重ね合わせられた二つの材料の正確な処理を可能にする超音波封止器および／またはナイフの使用が、従来技術において知られている。
【０００３】
超音波封止器またはナイフは、封止および／または切断する材料に機械的振動を伝達するソノトロード(sonotrode)と、封止および／または切断する材料とソノトロードとに対する接触要素として動作するアンビルと、を備える。
【０００４】
実際には、ソノトロードは、融解によって封止および／または分離される材料との接触によってエネルギーを伝達する。
【０００５】
封止および／または切断動作に用いられる超音波装置には「ヒートシンク」封止装置と回転式封止装置との二つのタイプがある。
【０００６】
「ヒートシンク」封止装置では、ソノトロードは、一方向に沿って封止する材料に向かいそして離れるよう交互に移動可能であり、アンビルは静止しているまたは回転する。
【０００７】
回転式封止装置では、ソノトロードとアンビルとの両方は、一般的には連続的に、互いに平行な回転軸回りに回転することができる。
【０００８】
ソノトロードは、重ねられた材料を封止するおよび／または切断するために構成された機能的輪郭を有する。
【０００９】
アンビルは、重ねられた材料を封止するおよび／または切断する領域を規定するために、ソノトロードの機能的輪郭に対応する接触面の一以上の部分（ある場合には、ソノトロードの機能的輪郭と整合するよう形成された一以上の型）を有する。
【００１０】
これらの超音波装置を用いて材料の封止および切断を行う解決法には、上述した装置の動作構造のタイプに関係なく、二つの方法がある。
【００１１】
第一の態様では、ソノトロードとアンビルは、一回の動作で、ストリップ状またはシート状の材料を封止する工程と切断する（分離する）工程とを行うよう構成されている。
【００１２】
しかしながら、この第一の態様では、動作速度が高いので、封止（シーリング）効率および切断効率を同時に保証することができないという欠点があり、その結果、材料は時に正確に封止されないまたは正確に切断されないことがある。
【００１３】
また、動作速度が低い場合でも、特に連続移動を行う機械において、周辺部が閉じられるとともに複雑である(with a closed and complex perimeter)タイプの材料の封止および切断輪郭を形成することが困難である。
【００１４】
このことは、封止および切断の仕上がりが商品価値に関して重要である製品に対しては幅広い問題となる。
【００１５】
第二の態様では、生産システムまたは機械は、材料を（超音波によって）封止し（切断または剪断によって）分離するための二つの別のステーションを備える。
【００１６】
しかしながら、この第二の態様にも欠点がある。
【００１７】
実質的には、封止ステーションから切断ステーションへと通過するとき、封止された材料は供給ラインに対して移動する場合がある。この場合、一部の切断は封止されないことになり、その結果、容器が開いたままとなる。
【発明の概要】
【発明が解決しようとする課題】
【００１８】
（発明の目的）
本発明の目的は、上述の欠点を解消する超音波封止・切断装置を提供することにある。
【００１９】
より詳細には、本発明の目的は、超音波封止・切断装置、特に、高速で正確でかつ安全に一つのステーションにおいて封止および切断動作を行うことができる、例えば固形注入もしくは抽出製品のための容器、または液体もしくはゲル製品のための容器を密封するためのシート状またはストリップ状の材料を封止して切断する装置を提供することにある。
【００２０】
本発明のさらなる目的は超音波封止・切断装置、特に任意のタイプのシステムまたは機械において（段階的または連続的モードにおいて）高い生産速度および平均的生産速度から低い生産速度のどちらでも、かつ、形成する輪郭の複雑さに関係なく、動作することができる、容器を密封するためのシート状またはストリップ状の材料を封止して切断する装置を提供することにある。
【課題を解決するための手段】
【００２１】
これらの目的は、添付の特許請求の範囲に記載した本発明にかかる、超音波封止・切断装置、特に、例えば固形注入もしくは抽出製品のための容器、または液体もしくはゲル製品のための容器を密封するためのシート状またはストリップ状の材料を封止して切断する超音波封止・切断装置によって、十分に達成される。
【００２２】
より具体的には、シート状またはストリップ状の材料を封止して切断する超音波封止・切断装置、好適には、固形注入もしくは抽出製品のための容器、または液体もしくはゲル製品のための容器を密封するためのシート状またはストリップ状の材料を封止して切断する超音波封止・切断装置は、機械的振動を発生するとともに、第一輪郭を有するソノトロードと、封止・切断領域を規定するためにソノトロードの第一輪郭と協働して作用する第二輪郭を有する接触体と、を備える。
【００２３】
本発明では、ソノトロードの第一輪郭または接触体の第二輪郭が、共有の切断刃において一体に連結された第一フェースおよび第二フェースを有している。
【００２４】
本発明では、第一フェースは、封止・切断領域内を通過するシート状またはストリップ状の材料の部分に一致する平面に対して第一角度で傾斜している。
【００２５】
また、本発明では、第二フェースは、封止・切断領域内を通過するシート状またはストリップ状の材料の部分に一致する平面に対して第一角度で傾斜している。
【００２６】
本発明では、第一フェースの第一角度の値は第二フェースの第二角度の値とは異なり、非対称な輪郭を規定している。
【００２７】
また本発明では、少なくとも接触体は、型を有しており、この型の縁部に、閉じられ、かつ、接触体から突出している周辺部を有し、第二輪郭は、ソノトロードの第一輪郭と協働して、閉じられた封止・切断領域を規定する。
【００２８】
異なる角度、したがって第一輪郭または第二輪郭を形成する二つのフェースの非対称性により、処理する材料への二つのフェースの機能が異なるよう設定される。
【００２９】
したがって、この構成により、一つのソノトロード（および一つの接触体）で材料の正確な封止および切断を正確に実行することが、このように封止し切断する材料への同時動作による相互作用が可能となる幾何構造によって、可能となる。
【００３０】
より具体的には、封止されていない区域において材料を切断する虞を抑制し、その結果、容器が開いたままとなる虞を抑制する。したがって、本発明にかかる封止・切断装置では、封止されない区域において材料が切断される事態を回避するために封止区域を広げる必要がないので、封止区域の幅を低減することができ、容器の外観の観点から明らかな利点がある。
【００３１】
好ましくは、第一フェースおよび第二フェースは、閉じられた周辺部で切断刃を規定している。
【００３２】
好ましくは、第一輪郭および第二輪郭は、閉じられた周辺部で封止・切断領域を規定している。
【００３３】
好適には、第一フェースは封止・切断領域において外側切断面を形成しており、第二フェースは封止・切断領域において内側封止面を形成している。あるいは、第一フェースは封止・切断領域において内側切断面を形成し、第二フェースは封止・切断領域において外側封止面を形成する。
【００３４】
二つのフェース、封止フェースと切断フェースとの非対称性により、最終製品の形状に関係なく高出力と高精度とが可能になるという利点がある。
【００３５】
封止され切断される形状を、連続的でかつ開いた輪郭の線形状のタイプとすることもできる。
【００３６】
封止され切断される形状は、閉じており複雑な周辺輪郭（すなわち幾何学的に複雑な形状）を有することもできる。
【００３７】
複雑な形状を、曲面（例えば連続的であってもよい回転式ドラム（円筒部））上にある第一輪郭および第二輪郭の一方もしくは他方、または両方により達成することができる。
【００３８】
切断刃を形成する二つのフェースの非対称幾何構造を、連続的、不連続または段階的移動の装置などの任意のタイプの封止・切断装置に適用でき、これにより、高い動作速度であっても材料の封止および切断の両方において高いレベルの精度を維持しながら、封止されていない材料を切断する虞がなく小さい大きさのシールの形成を可能とできる。
【図面の簡単な説明】
【００３９】
本発明のこれら特徴および他の特徴は、添付の図面を参照する、本発明の限定するものではない、好ましい以下の実施形態の詳細な説明から明らかとなろう。
【００４０】
図１は、一部の部分を他の部分が見えやすくなるよう切断し取り外した、本発明にかかる超音波封止・切断装置、特に、固形、液体またはゲル製品のための容器を密封するためのシート状またはストリップ状の材料を封止して切断する超音波封止・切断装置の概略的側面図を示す。
【００４１】
図２は、一部の部分を他の部分が見えやすくなるよう切断し取り外した、図１の封止・切断装置の正面図である。
【００４２】
図３は、図１および図２の封止・切断装置の接触体を形成する部分の第二輪郭の拡大部分Ａを示す。
【００４３】
図４は、一部の部分を他の部分が見えやすくなるよう切断し取り外した、本発明にかかる第二実施形態の超音波封止・切断装置、特に、固形、液体またはゲル製品のための容器を密封するためのシート状またはストリップ状の材料を封止して切断する超音波封止・切断装置の概略的側面図を示す。
【００４４】
図５は、図４の切断・封止装置の拡大部分Ｂを示す。
【００４５】
図６は、一部の部分を他の部分が見えやすくなるよう切断し取り外した、さらに拡大した部分Ｂを示す。
【発明を実施するための形態】
【００４６】
添付図面は、シート状またはストリップ状の材料１を封止して切断するための、本発明にかかる超音波封止・切断装置の第一実施形態（その全体を図１において符号１００で示す）、および本発明にかかる超音波封止・切断装置の第二実施形態（その全体を図４において符号２００で示す）を示す。好適には、シート状またはストリップ状の材料１を、抽出または注入用の固体、液体もしくはゲル製品の一回の分量を閉じ込めるように、または注入または抽出用の固体、液体もしくはゲル製品を収容する容器２を密封するために、用いることができる。好適には、材料１はまた、一枚のシートもしくはストリップ、または二枚以上のシートもしくはストリップを積層したシートもしくはストリップで構成することができる。
【００４７】
例えば、（好ましくは連続的な）シート状またはストリップ状の材料１は、一回の分量の注入または抽出製品が既に充填されている一連の容器２を構成している（好ましくは連続的な）さらなるストリップに重なるよう、装置１００、または装置２００に向かって供給される。
【００４８】
あるいは、シート状またはストリップ状の材料１を、（一回の分量の製品を収容するよう）それ自体の上に折り畳み、材料１の自由端縁部を重ねて、封止し切断することもできる。
【００４９】
封止・切断装置（１００，２００）は、機械的振動を発生するとともに第一輪郭４を有するソノトロード３と、第二輪郭１２を有する接触要素６、すなわちアンビルとを備える。封止・切断領域５を規定するために、ソノトロード３の第一輪郭４と接触体６の第二輪郭１２とが協働して作用する。
【００５０】
この点に関して、（好ましくは連続的な）シート状またはストリップ状の材料１と（好ましくは連続的な）一連の容器２とが、ソノトロード２と接触体３との間に供給される。
【００５１】
本発明では、ソノトロード３の第一輪郭４または接触体６の第二輪郭１２は、共有の切断刃(cutting edge)９において一体に連結された第一フェース７および第二フェース８を有している。例えば、切断刃９は、刃(edge)、すなわち頂点を形成することができる。
【００５２】
本発明では、切断刃９の第一フェース７は、封止・切断領域５内を通過するシート状またはストリップ状の材料１の部分に一致する平面１０に対して第一角度αで傾斜している。
【００５３】
本発明では、切断刃９の第二フェース８は、上記部分に一致する平面１０に対して第二角度βで傾斜している。
【００５４】
本発明では、第一フェース７の第一角度αの値は第二フェース８の第二角度βの値とは異なる。
【００５５】
また本発明では、少なくとも接触体６は、型(impression)１１を有しており、型１１の縁部に、閉じられ、かつ、接触体（つまりその表面）６から突出している周辺部を有している。第二輪郭１２は、ソノトロード３の第一輪郭４と協働して、封止・切断領域を規定している。
【００５６】
したがって、封止領域５の境界は二つの輪郭４，１２によってのみ定められる。
【００５７】
語「型」１１は、接触体６に形成された（この場合）窪んだ面（すなわちキャビティー）を意味する。
【００５８】
キャビティーは、接触体６の第二輪郭１２が形成される型１１の周辺部の形状の境界を定める縁部（外側）を有する。
【００５９】
なお、所定の深さを有する接触体６の型１１は容器２を収容できることを記載しておく。
【００６０】
この点に関して、接触体６の型１１は、上記部分に一致する平面１０から離間する方向に（深さに）延設されている。
【００６１】
また、第二輪郭１２は、型の縁部の全周に沿って連続的である、すなわち、その表面で断絶していないことを記載しておく。
【００６２】
図１〜図３の第一実施形態において、切断刃９は接触体６に形成されている。図４〜図６の第二実施形態において、切断刃９はソノトロード３に形成されている。
【００６３】
言い換えれば、図１〜図３の第一実施形態においては、接触体６の第二輪郭１２によって切断刃９が形成される。より具体的には、第二輪郭１２は、切断刃９を形成する第一フェース７および第二フェース８によって表される傾斜の角度が異なることにより非対称形状を有する（図３に分かりやすく示す）。二つのフェース７，８間の非対称性はまた、二つのフェース７，８間の共有の切断刃９を通過するとともに、上記部分に一致する平面１０に垂直である軸すなわち直線Ｒからも明確に示される。この構成により、種々の封止動作および切断動作を、一方のフェースまたは他方のフェースの傾斜の角度の関数として最適化できる。
【００６４】
好ましくは、第一輪郭４および第二輪郭１２は、閉じられた周辺部で封止・切断領域５を規定している。
【００６５】
好ましくは、第一フェース７および第二フェース８は、閉じられた周辺部で切断刃９を規定している。
【００６６】
この点に関して、第一フェース７は封止・切断領域５において外側切断面を形成しており、第二フェース８は封止・切断領域５において内側封止面を形成している。
【００６７】
図示しない他の実施形態では、第一フェース７は封止・切断領域５において内側切断面を形成し、第二フェース８は封止・切断領域５において外側封止面を形成することができる。言い換えれば、第一フェース７と第二フェース８を逆にすることができる。
【００６８】
また好ましくは、切断刃９の第一フェース７は、上記部分に一致する平面１０に対する傾斜の第一角度αの値が、４５°〜８０°、好ましくは６０°〜８０°、さらに好ましくは６０°〜７５°である。
【００６９】
また好ましくは、切断刃９の第二フェース８は、上記部分に一致する平面１０に対する傾斜の第二角度βの値が、０°〜４５°、好ましくは０°〜３０°、より好ましくは０°〜１５°、さらに好ましくは１５°〜３０°である。
【００７０】
上述した値の範囲内にある角度の値を有する非対称切断刃９の限定するものではない例を、図３にわかりやすく示す。
【００７１】
言い換えれば、異なる角度値が、得られる封止および切断の関数として、第一フェース７および第二フェース８に用いられる。
【００７２】
より具体的には、上記部分に一致する平面１０に対する第一フェース７の角度αを増加させることにより、材料１の切断作用が向上する。これに対して、上記部分に一致する平面１０に対する第二フェース８の角度βを低減させることにより封止作用が向上する。好適には、角度αおよび角度βは、材料の関数として選択することができる。
【００７３】
したがって、上記部分に一致する平面１０に対する切断刃９の異なる角度を有する（したがって非対称な輪郭を構成する）二つのフェース７，８は、角度の値から得られる異なる機能を有する。好ましくは、小さい角度を有するフェースは封止用であり、大きい角度を有するフェースは切断用である。
【００７４】
なお、超音波封止・切断装置１００（または２００）は、一列に、電力信号生成器１７と、電力信号を機械的振動に変換するための変換器１８と、第一輪郭４を有する動作ヘッドを備えるソノトロード３と、第二輪郭１２の接触体６（すなわちアンビル）と、を備えることを記載しておく。
【００７５】
第一実施形態１００において、ソノトロード３の第一輪郭４は、平坦延設部、すなわち、上記部分に一致する平面１０と平行な少なくとも一つの相対的延長部(relative stretch)を有する。
【００７６】
好適には、ソノトロード３の第一輪郭４は、（図１および図２に示す平坦接触ヘッドを形成するための）平坦延設部を有する。
【００７７】
他の実施形態においては、ソノトロード３の第一輪郭４は、接触体６と整合する曲面状延設部を、例えば円筒状延設部を有する。
【００７８】
好適には、ソノトロード３は対向する型(counter-impression)１１ａを有する。対向する型１１ａは、閉じているとともに型１１ａの基礎（ベース）面に対して突出している周辺縁部を有する。
【００７９】
対向する型１１ａの縁部には、接触体６の型１１の縁部（図１および図２における破線を参照）と整合するよう形成されたソノトロード３の第一輪郭４が位置する。
【００８０】
装置１００のこの構造を、シート状またはストリップ状の容器２の材料１を供給するため異なるモード（連続的から段階的（ステッピング）モード）で、図１、図２および図３に示す。
【００８１】
また、図１、図２および図３を参照して、好ましくは、接触体６は、共有の切断刃９において一体に連結された第一フェース７および第二フェース８を備えている第二非対称輪郭１２で構成される、閉じられた周辺部を有する少なくとも一つの型１１を有する。
【００８２】
好ましくは、接触体６は、第二非対称輪郭１２および曲面状延設部を有する少なくとも一つの型１１を有する。
【００８３】
この点に関して、接触体６は、型１１の突出している縁部に構成される第二輪郭１２によって規定される少なくとも一つの型１１を有する。
【００８４】
また、好ましくは、型１１の突出縁部は曲面状延設部を有する。
【００８５】
言い換えれば、曲面状縁部は、上記部分に一致する平面１０から離間する方向および向かう方向の経路に応じて接触体６の表面に沿って延設される。
【００８６】
この特徴により、型１１の形状を、したがって（この場合非対称の）第二輪郭１２を接触体６のタイプの多様性(multiplicity)に対応させることができる。
【００８７】
好ましくは、接触体６は、例えばストリップ状またはシート状の材料１の送り方向に垂直である回転軸Ｘ回りに連続的に、または段階的モードで、回転する円筒部１４を備える（図１および図２）。
【００８８】
好ましくは、円筒部１４は、曲面状延設部を有する第二非対称輪郭１２によって規定される複数の型１１が配置される円筒表面を有する。好適には、型１１は、円筒部１４の円筒面上に等間隔で配置される。
【００８９】
図１および図２に示す実施形態において、円筒部１４は軸Ｘ回りに好ましくは連続的に回転可能であり、一方、ソノトロード３は動作中に静止している。封止・切断装置１００は、封止し切断する材料１に近接する動作位置、および封止し切断する材料１から離間した非動作位置へと、ソノトロード３を移動させるのに適したアクチュエータ１９を備える。
【００９０】
第一輪郭４または第二輪郭１２の変形態様において、第二フェース８は、上記部分に一致する平面１０に垂直な第一部分と、上記部分に一致する平面１０と平行であり、アンダーカット(undercut)または破線を形成するための第二部分とを有する。
【００９１】
この点に関して、第二フェース８は、封止面を形成する、上記部分に一致する平面１０と平行（０°傾斜）である、第二部分を少なくとも有する。
【００９２】
なお、第二フェース８の第一部分は、第一フェース７と実際のそれぞれの封止面との間に適合していることを記載しておく。
【００９３】
図４〜図６は、第一輪郭４が上述した変形態様に応じて形成された、超音波封止・切断装置２００の好ましい第二実施形態を示す。より具体的には、第一輪郭４の第二フェース８は、上記部分に一致する平面１０に垂直な第一部分と、上記部分に一致する平面１０と平行な第二部分とを有する。接触体６（すなわちアンビル）に形成された第二輪郭１２は非対称であり、第一非対称の輪郭４と整合するよう形成されている。
【００９４】
なお、（図４〜図６に示す）超音波封止・切断装置２００は段階的モードで動作するが、ソノトロード３に関して上述した構造の技術的特徴を備えていることを記載しておく。
【００９５】
図４に示す装置２００は、ソノトロード３の動作ヘッドと整合するよう形成された接触ヘッド１６を有するダイ１５を備える接触体６を有する。
【００９６】
好ましくは、接触ヘッド１６は、第二輪郭１２が構成される、突出している周辺部の縁部を有する型１１を構成する。
【００９７】
接触ヘッド１６には、すなわち縁部には、第一輪郭４の（封止用）第二フェース８と連結されるよう設計された接触面１３を有する第二輪郭１２が配置されている。言い換えれば、接触面１３は、第二フェース８と連結するために角度βに対して相補的な角度で傾斜した少なくとも一つのセクションを有することができる。
【００９８】
あるいは、第二輪郭１２は、上記部分に一致する平面１０と平行な面を有することもできる。
【００９９】
好適には、第二輪郭１２は、上記部分に一致する平面１０と平行な面を有する接触面１３と、使用時において、第二フェース８の垂直部分（図５）すなわち上記部分に一致する平面１０に対して垂直な部分と連結するよう構成された相対的なさらなる面(relative further surface)と、を有する。
【０１００】
この点に関して、第二輪郭１２は、切断刃９と接触するためのさらなる接触フェース１３ａを（型１１の外側に）有する。
【０１０１】
さらなるフェース１３ａは、上記部分に一致する平面１０と平行である。
【０１０２】
言い換えれば、第一輪郭４と第二輪郭１２との組み合わせにより、上記部分に一致する平面１０と平行な（内側の）面で封止するための対応するアンダーカット形状が決められ、同時に、切断刃９と第二フェース７が、切断を実行し、第二輪郭１２のさらなるフェース１３ａ持つ、切断刃９の接触点に達する。二つの輪郭のこの特定の幾何学的形状により、二つの輪郭の二つの表面の対向する面によって封止される材料の部分を正しく保持することができるので、正確な封止が可能になる。一方、上記部分に一致する平面に垂直である二つの面により、屑の発生や処理されるフィルム１および容器２の不適切な相対的移動が生じることなく、正確に張力を与えて切断することができる。
【０１０３】
あるいは、図示しない実施形態において、接触体６の第二輪郭１２は、切断刃９と協働して作用する、上記部分に一致する平面１０と平行な（平坦接触ヘッドを形成する）平坦延設部を有することには利点がある。
【０１０４】
第二輪郭１２は、閉じた周辺延設部を有することもできる。
【０１０５】
ダイ１５は、ソノトロード３に近接する動作位置と、ソノトロード３から離間した非動作位置と、間で軸方向に移動可能である。
【０１０６】
封止・切断装置２００は、封止し切断する材料１に近接する動作位置と、封止し切断する材料１から離間した非動作位置と、の間でソノトロード３を移動させるのに適したアクチュエータ１９を備える。封止・切断装置２００はまた、ダイ１５を移動させるためにアクチュエータ２０を備える。
【０１０７】
互いに向かう方向および離間する方向へのソノトロード３およびダイ１５の二重協調移動により、例えば深い容器を供給することができる（図５も参照）。
【０１０８】
切断刃９の非対称性により、シート状またはストリップ状の材料の超音波封止・切断は、最終製品の形状に関係なく高出力かつ高精度で行われる。
【０１０９】
連続的で開いた輪郭を有する直線形状の場合、および、閉じて複雑な輪郭を有する周辺形状（すなわち複雑な幾何学的形状）で、容器が閉じられるとともに分離される必要がある場合の両方において、たとえ連続的に動作する回転式ドラムに曲面状輪郭の型を用いて構成されるとしても、切断刃の第一フェースおよび第二フェースの非対称な組み合わせにより、高品質な封止および切断が可能になる。
【０１１０】
またあるいは、切断刃を、ソノトロードまたは接触体に、つまり、第一輪郭または第二輪郭に形成することができ、平坦面と相互作用させることができる、または相補的にもしくは部分的に相補的に形成することができる。
【０１１１】
このように構成された封止・切断装置を、要求される動作速度に関係なく、材料の封止および切断の両方において高いレベルの精度を維持しながら、連続的、不連続または段階的モード移動を伴う任意のタイプの機械に適用することができる。
【図１】
2017509549.tif 000003
【図２】
2017509549.tif 000004
【図３】
2017509549.tif 000005
【図４】
2017509549.tif 000006
【図５】
2017509549.tif 000007
【図６】
2017509549.tif 000008
【国際調査報告】
2017509549.tif 000009
2017509549.tif 000010
2017509549.tif 000011